(57)【要約】    【構成】画像形成装置１０は、プロセッサ（１１０）を含み、プロセッサは複数のジャムセンサ（９０〜９８）からの出力に基づいて紙詰まりを検知すると、紙詰まり情報を含む通知画面（２００）をディスプレイ１８に表示する。また、プロセッサは、開閉センサ（１２４〜１３６）の出力に基づいて開閉部２２、２４、３８〜４４の開閉状態を検知し、通知画面（２００）の開閉情報も表示する。    【効果】ユーザは紙詰まりを解消する作業を行うときに、紙詰まり情報のみならず開閉部の開閉状態も確認できるので、詰まった紙を適切に除去することができる。【選択図】図１
2015205435.tif 000002
【特許請求の範囲】
【請求項１】
紙詰まりを検出する第１検出手段、
筐体の開閉部の開閉状態を検出する第２検出手段、および
前記第１検出手段によって紙詰まりが検出されている状態で、前記第２検出手段によって前記開閉部の開状態が検出されたとき、当該開閉部が開状態であることおよび当該開閉部を閉じるべきことの少なくとも一方を通知する第１通知手段を備える、画像形成装置。
【請求項２】
前記第１検出手段によって紙詰まりが検出されている状態で、前記第２検出手段によって前記開閉部が開状態から閉状態に変化したことが検出されたとき、当該開閉部が閉状態であることを通知する第２通知手段をさらに備える、請求項１記載の画像形成装置。
【請求項３】
前記第１検出手段によって紙詰まりが検出されている状態で、前記第２検出手段によって前記開閉部の開状態が検出されたときからの時間を計測する計測手段をさらに備え、
前記第１通知手段は、前記計測部によって計測された時間が所定時間に達したときに前記第２検出手段によって前記開閉部が開状態であることが検出されている場合に、当該開閉部が開状態であることおよび当該開閉部を閉じるべきことの少なくとも一方を通知する、請求項１または２記載の画像形成装置。
【請求項４】
前記第１検出手段によって検出された紙詰まりの位置を通知する第３通知手段をさらに備える、請求項１ないし３のいずれかに記載の画像形成装置。
【請求項５】
表示手段をさらに備え、
前記第１通知手段は、前記開閉部が開状態であることおよび当該開閉部を閉じるべきことの少なくとも一方を通知する通知画面を、表示手段に表示する、請求項１ないし４のいずれかに記載の画像形成装置。
【請求項６】
前記通知画面は、前記開閉部が開状態であることおよび当該開閉部を閉じるべきことの少なくとも一方を通知するメッセージを含む、請求項５記載の画像形成装置。
【請求項７】
前記第１通知手段は、前記メッセージを吹き出しで表示する、請求項６記載の画像形成装置。
【請求項８】
音声出力手段をさらに備え、
前記第１通知手段は、前記開閉部が開状態であることおよび当該開閉部を閉じるべきことの少なくとも一方を通知する音ないし音声を、前記前記音声出力手段から出力する、請求項１ないし７のいずれかに記載の画像形成装置。
【請求項９】
画像形成装置のコンピュータによって実行される情報通知プログラムであって、
前記コンピュータのプロセッサを、
紙詰まりを検出する第１検出手段、
筐体の開閉部の開閉状態を検出する第２検出手段、および
前記第１検出手段において紙詰まりを検出している状態で、前記第２検出手段において前記開閉部の開状態を検出したとき、当該開閉部が開状態であることおよび当該開閉部を閉じるべきことの少なくとも一方を通知する通知手段として機能させる、情報通知プログラム。
【請求項１０】
画像形成装置の情報通知方法であって、
前記画像形成装置のプロセッサは、
（ａ）紙詰まりを検出し、
（ｂ）筐体の開閉部の開閉状態を検出し、そして
（ｃ）前記ステップ（ａ）において紙詰まりを検出している状態で、前記ステップ（ｂ）において前記開閉部の開状態を検出したとき、当該開閉部が開状態であることおよび当該開閉部を閉じるべきことの少なくとも一方を通知する、情報通知方法。
【請求項１１】
紙詰まりを検出する第１検出手段、
筐体の開閉部の開閉状態を検出する第２検出手段、および
前記第１検出手段によって紙詰まりが検出されている状態で、前記第２検出手段によって前記開閉部の開状態が検出されたとき、当該開閉部が開状態であることおよび当該開閉部を閉じるべきことの少なくとも一方を通知する通知手段を備える、画像読取装置。
【発明の詳細な説明】
【技術分野】
【０００１】
この発明は、画像形成装置、情報通知プログラム、情報通知方法および画像読取装置に関し、特にたとえば、記録用紙を搬送する搬送手段を備える、画像形成装置、情報通知プログラム、情報通知方法および画像読取装置に関する。
【背景技術】
【０００２】
背景技術の一例が特許文献１に開示されている。この特許文献１のプリンタでは、給紙遅延ジャムまたは定着滞留紙詰まりが発生すると、ジャム処理方法のガイダンス情報がステップ毎に順次表示される。たとえば、カセットから給紙されたシートが分離ローラの周辺で詰まった場合には、制御部はオペレーションパネルに、“給紙部周辺のシートを取り除いてください。除去が終了したら右ドアを閉じてください。”とのガイダンス情報を表示させる。オペレータがガイダンス情報に従ってシートの除去を実施し、右ドアを閉じると、ジャム処理が終了し、制御部はガイダンス情報の表示動作を終了する。
【特許文献１】特開2008-162061号公報［B41J 29/42, H04N 1/00, G06F 3/12, G06F 3/048, G03G 21/00］
【発明の概要】
【発明が解決しようとする課題】
【０００３】
しかし、特許文献１に開示されるようなプリンタでは、オペレータがシートを除去してもドアが正しく閉じられていない場合には、ジャムが解消したかどうかの確認動作が行われないため、ガイダンス情報が終了または更新されない。このため、オペレータは取り除いていないシートやシートの破片があるのか、または、ドアを閉じていないのかを知ることができず、混乱してしまう。特に、ドアが正常に閉じられていないことを、オペレータが気づかない可能性がある。
【０００４】
それゆえに、この発明の主たる目的は、新規な、画像形成装置、情報通知プログラム、情報通知方法および画像読取装置を提供することである。
【０００５】
この発明の他の目的は、紙詰まりが発生したときに適切な情報を通知することができる、画像形成装置、情報通知プログラム、情報通知方法および画像読取装置を提供することである。
【課題を解決するための手段】
【０００６】
第１の発明は、紙詰まりを検出する第１検出手段、筐体の開閉部の開閉状態を検出する第２検出手段、および第１検出手段によって紙詰まりが検出されている状態で、第２検出手段によって開閉部の開状態が検出されたとき、当該開閉部が開状態であることおよび当該開閉部を閉じるべきことの少なくとも一方を通知する第１通知手段を備える、画像形成装置である。
【０００７】
第１の発明では、画像形成装置は、第１検出手段は、たとえば内部の用紙搬送路の周辺に設けられるジャムセンサを利用して、用紙搬送路上の紙詰まりを検出する。筐体の開閉部は、たとえば用紙搬送路上で発生した紙詰まりを取り除くために開状態にされる。たとえば開閉部の周辺には、開閉部の開閉状態に基づいて状態が変化する機械式のスイッチなど含む開閉センサが設けられる。第２検出手段は、たとえばこのような開閉センサを利用して、開閉部の開閉状態を検出する。第１通知手段は、たとえば紙詰まりが検出された状態で開閉部の開状態が検出されると、その開閉部が開状態であることをユーザに通知する。
【０００８】
第１の発明によれば、紙詰まりが検出されている状態において、開閉部が開状態であることおよび開閉部を閉じるべきことの少なくとも一方を通知するので、紙詰まりが発生したときに適切な情報を通知することができる。
【０００９】
第２の発明は、第１の発明に従属し、第１検出手段によって紙詰まりが検出されている状態で、第２検出手段によって開閉部が開状態から閉状態に変化したことが検出されたとき、当該開閉部が閉状態であることを通知する第２通知手段をさらに備える。
【００１０】
第２の発明では、たとえば開状態にされた開閉部がユーザによって閉じられると、第２通知手段は、その開閉部が閉状態であることを通知する。
【００１１】
第２の発明によれば、ユーザは、閉状態にした開閉部を確実に確認することが出来る。
【００１２】
第３の発明は、第１の発明または第２の発明に従属し、第１検出手段によって紙詰まりが検出されている状態で、第２検出手段によって開閉部の開状態が検出されたときからの時間を計測する計測手段をさらに備え、第１通知手段は、計測部によって計測された時間が所定時間に達したときに第２検出手段によって開閉部が開状態であることが検出されている場合に、当該開閉部が開状態であることおよび当該開閉部を閉じるべきことの少なくとも一方を通知する。
【００１３】
第３の発明では、たとえば、紙詰まりが検出されているときに開閉部が開状態にされると、タイマが実行される。計測手段は、このタイマを利用して時間を計測する。そして、計測された時間に基づいて、開閉部が開状態にされてから所定時間が経過したと判断されると、第１通知手段は、たとえば開閉部が開状態であることを通知する。
【００１４】
第３の発明によれば、ユーザが紙を取り除く作業を行っている間は開状態の通知は行わず、ユーザが開閉部を正常に閉じ損ねた場合に正常に閉じていない開閉部をユーザに通知することが出来る。
【００１５】
第４の発明は、第１の発明ないし第３の発明のいずれかに従属し、第１検出手段によって検出された紙詰まりの位置を通知する第３通知手段をさらに備える。
【００１６】
第４の発明では、たとえば、第３通知手段は、アイコンを利用して紙詰まりの位置を通知する。
【００１７】
第４の発明によれば、紙詰まりの位置と開閉部の開閉状態とがまとめて通知されるため、ユーザは紙詰まりが発生している画像形成装置の状態を詳細に把握することが出来る。
【００１８】
第５の発明は、第１の発明ないし第４の発明のいずれかに従属し、表示手段をさらに備え、第１通知手段は、開閉部が開状態であることおよび当該開閉部を閉じるべきことの少なくとも一方を通知する通知画面を、表示手段に表示する。
【００１９】
第５の発明では、表示手段はたとえばディスプレイとも呼ばれる。この表示手段には、たとえば開閉部が開状態であること通知する通知画面が表示される。
【００２０】
第５の発明によれば、表示手段を利用して紙詰まりの位置および各開閉部の開閉状態が通知されるため、ユーザは表示手段を確認することで開閉部の開閉状態を容易に把握することが出来る。
【００２１】
第６の発明は、第５の発明に従属し、通知画面は、開閉部が開状態であることおよび当該開閉部を閉じるべきことの少なくとも一方を通知するメッセージを含む。
【００２２】
第６の発明では、たとえば、画像形成装置の外観の画像と共に、開閉部が開状態であることおよび開閉部を閉じるべきことの少なくとも一方を伝えるメッセージが表示される。
【００２３】
第６の発明によれば、開閉部の開閉状態はメッセージを利用して通知することが出来る。
【００２４】
第７の発明は、第６の発明に従属し、第１通知手段は、メッセージを吹き出しで表示する。
【００２５】
第７の発明では、メッセージを含む吹き出しは、対応する開閉部を指し示す。
【００２６】
第７の発明によれば、開閉部を指し示す吹き出しを利用して開閉部の開閉状態が通知されるため、ユーザは開閉部の位置と状態とを直感的に把握することが出来る。
【００２７】
第８の発明は、第１の発明ないし第７の発明のいずれかに従属し、音声出力手段をさらに備え、第１通知手段は、開閉部が開状態であることおよび当該開閉部を閉じるべきことの少なくとも一方を通知する音ないし音声を、音声出力手段から出力する。
【００２８】
第８の発明では、音声出力手段は、たとえばスピーカなどを含む。そして、音声出力手段は、たとえば開閉部が開状態であること通知する音声を出力する。
【００２９】
第８の発明によれば、ユーザは、音または音声によって開閉部の開閉状態を把握することが出来る。
【００３０】
第９の発明は、画像形成装置のコンピュータによって実行される情報通知プログラムであって、コンピュータのプロセッサを、紙詰まりを検出する第１検出手段、筐体の開閉部の開閉状態を検出する第２検出手段、および第１検出手段において紙詰まりを検出している状態で、第２検出手段において開閉部の開状態を検出したとき、当該開閉部が開状態であることおよび当該開閉部を閉じるべきことの少なくとも一方を通知する通知手段として機能させる、情報通知プログラムである。
【００３１】
第９の発明でも、第１の発明と同様、紙詰まりが検出されている状態において、開閉部が開状態であることおよび開閉部を閉じるべきことの少なくとも一方を通知するので、紙詰まりが発生したときに適切な情報を通知することができる。
【００３２】
第１０の発明は、画像形成装置の情報通知方法であって、画像形成装置のプロセッサは、（ａ）紙詰まりを検出し、（ｂ）筐体の開閉部の開閉状態を検出し、そして（ｃ）ステップ（ａ）において紙詰まりを検出している状態で、ステップ（ｂ）において開閉部の開状態を検出したとき、当該開閉部が開状態であることおよび当該開閉部を閉じるべきことの少なくとも一方を通知する、情報通知方法である。
【００３３】
第１０の発明でも、第１の発明と同様、紙詰まりが検出されている状態において、開閉部が開状態であることおよび開閉部を閉じるべきことの少なくとも一方を通知するので、紙詰まりが発生したときに適切な情報を通知することができる。
【００３４】
第１１の発明は、紙詰まりを検出する第１検出手段、筐体の開閉部の開閉状態を検出する第２検出手段、および第１検出手段によって紙詰まりが検出されている状態で、第２検出手段によって開閉部の開状態が検出されたとき、当該開閉部が開状態であることおよび当該開閉部を閉じるべきことの少なくとも一方を通知する通知手段を備える、画像読取装置である。
【００３５】
第１１発明でも、第１の発明と同様、紙詰まりが発生したときに適切な情報を通知することができる。
【発明の効果】
【００３６】
この発明によれば、紙詰まりが発生したときに適切な情報を通知することができる。
【００３７】
この発明の上述の目的、その他の目的、特徴および利点は、図面を参照して行う以下の実施例の詳細な説明から一層明らかとなろう。
【図面の簡単な説明】
【００３８】
【図１】図１はこの発明の一実施例の画像形成装置の外観を示す図解図である。
【図２】図２は図１に示す画像形成装置の内部構造を示す概略図である。
【図３】図３は図１に示す画像形成装置の電気的な構成の一例を示すブロック図である。
【図４】図４は紙詰まりテーブルの一例を示す図解図である。
【図５】図５は開閉状態データの一例を示す図解図である。
【図６】図６は紙詰まりが発生した当初に表示される通知画面の一例を示す図解図である。
【図７】図７は紙詰まり位置および開閉部の開閉状態を通知する通知画面の例を示す図解図であり、（Ａ）は開閉部の開閉情報を通知しない通知画面の一例を示し、（Ｂ）は紙詰まり情報および開閉情報を通知する通知画面の一例を示し、図７（Ｃ）は紙詰まり情報および開閉情報を通知する通知画面の他の例を示す。
【図８】図８は図３に示すＲＡＭのメモリマップの一例を示す図解図である。
【図９】図９は図３に示すプロセッサの情報通知処理の一例の一部を示すフロー図である。
【図１０】図１０は図３に示すプロセッサの情報通知処理の他の一部であって、図９に後続するフロー図である。
【図１１】図１１は第２実施例の通知画面の一例を示す図解図である。
【図１２】図１２は第３実施例の通知画面の一例を示す図解図である。
【発明を実施するための形態】
【００３９】
[第１実施例]
図１はこの発明の一実施例である画像形成装置１０の外部構成を斜め上方から見た斜視図である。また、図２は画像形成装置１０の内部構造を示す概略図である。
【００４０】
図１を参照して、画像形成装置１０は、一例として複写機能、プリンタ機能、スキャナ機能およびファクシミリ機能などを有する複合機（ＭＦＰ：Multifunction Peripheral）である。なお、この発明は複合機だけでなく、印刷装置（プリンタ）および画像読取装置（ファクシミリ）のような他の画像形成装置に適応可能であり、また、画像読取装置（スキャナ）にも適用可能であることを予め指摘しておく。
【００４１】
画像形成装置１０は画像読取装置１２を含み、この画像読取装置１２は画像形成装置１０の装置本体１４の上方に配置される。画像形成装置１０は、外部から入力される画像データのみならず、スキャナによって原稿から読み取った画像データに応じて多色または単色の画像を記録媒体（用紙）に形成することもできる。
【００４２】
また、画像形成装置１０の装置本体１４には、その鉛直方向の下端部に、第１カセット２２および第２カセットが設けられる。第１カセット２２および第２カセット２４は、たとえば、サイズの異なる用紙を収容する。また、第１カセット２２および第２カセット２４は、装置本体１４（筐体）に、引き出して開くことができ、押し入れて閉めることができる。
【００４３】
また、第１カセット２２および第２カセット２４を引き出す側（以下、「前面」という）であり、これらの第１カセット２２および第２カセット２４の鉛直方向の上方には、前カバー３６が設けられる。たとえば、前カバー３６は装置本体１４の筐体の一部を構成し、ヒンジなどを用いて開閉可能に設けられる。
【００４４】
また、装置本体１４の一方側面には、鉛直方向の上方から順に、第１横開閉部３８および第２横開閉部４０が設けられ、さらに、手差しトレイ２６を介して第３横開閉部４２が設けられる。手差しトレイ２６、第１横開閉部３８、第２横開閉部４０および第３横開閉部４２もまた、装置本体１４の筐体の一部を構成し、ヒンジなどを用いて開閉可能に設けられる。
【００４５】
さらに、装置本体１４の鉛直方向の上方向の面（上面）には排紙トレイ２８が形成され、この排紙トレイ２８の上方に、画像読取装置１２が設けられる。また、排紙トレイ２８の上方であり、画像読取装置１２よりも前面側には、ディスプレイ（表示手段）１８および複数の操作ボタン２２が設けられる。また、ディスプレイ１８の上方には、タッチパネル１６が設けられる。たとえば、タッチパネル１６、ディスプレイ１８および操作ボタン２０によって操作パネルが形成される。
【００４６】
図２も参照して分かるように、画像読取装置１２は、矩形平板状の底板およびその周縁部から立ち上がる側壁を有する筐体３０を備える。筐体３０には、装置本体１４の上方においてヒンジ等を介して開閉自在に取り付けられる原稿押さえカバー３２が含まれる。この原稿押さえカバー３２には、自動的に１枚ずつ給紙するＡＤＦ(Auto Document Feeder：自動原稿送り装置）３４が設けられる。このＡＤＦ３４には、ＡＤＦカバー４４が設けられる。
【００４７】
なお、第１カセット２２、第２カセット２４、前カバー３６、第１横開閉部３８、第２横開閉部４０、第３横開閉部４２およびＡＤＦカバー４４を、まとめて「開閉部」と呼ぶことがある。つまり、第１実施例における開閉部には、ヒンジを有する片開きの扉のようなものや、引き出しのようなものが含まれる。
【００４８】
また、この第１実施例では、第１カセット２２および第２カセット２４を引き出し可能に設け、手差しトレイ２６をヒンジによって開閉可能に設けたが、これに限定される必要はない。給紙カセットを装置本体１４に着脱可能に設けてもよい。かかる場合には、給紙カセットを装着した状態を閉状態といい、給紙カセットを装着していない状態を開状態という。したがって、かかる場合の給紙カセットも開閉部に含まれる。
【００４９】
図２に示すように、画像読取装置１２における筐体３０の天面には、透明材によって形成される原稿載置台５０が設けられる。ＡＤＦ３４から給紙された原稿は、画像読取位置５２で１枚ずつ読み取られる。
【００５０】
また、画像読取装置１２には、光源、複数のミラー、結像レンズおよびラインセンサ等を備える画像読取部５４が内装される。画像読取部５４は、原稿表面を光源によって露光し、原稿表面から反射した反射光を複数のミラーによって結像レンズに導く。そして、結像レンズによって反射光をラインセンサの受光素子に結像させる。ラインセンサでは、受光素子に結像した反射光の輝度や色度が検出され、原稿表面の画像に基づく読取画像データが生成される。ラインセンサとしては、ＣＣＤ（Charge Coupled Device）やＣＩＳ（Contact Image Sensor）等が用いられる。
【００５１】
画像形成部５６は、露光ユニット５８、現像器６０、プロセスユニット６２、中間転写ベルトユニット６４、転写ローラ６６および定着ユニット６８などを備える。画像形成部５６は、第１カセット２２などから搬送される用紙上に画像を形成し、画像形成済みの用紙を排紙トレイ２８に排出する。
【００５２】
また、画像形成装置１０において扱われる形成画像データは、ブラック（Ｋ）、シアン（Ｃ）、マゼンタ（Ｍ）およびイエロー（Ｙ）の４色のカラー画像に応じたものである。このため、現像器６０、感光体ドラム、クリーナユニットおよび帯電器のそれぞれは、各色に応じた４種類の潜像を形成するように４個ずつ設けられ、これらによって４つの画像ステーションが構成される。また、感光体ドラム、クリーナユニットおよび帯電器は、ユニット化（カートリッジ化）されており、これらによってプロセスユニット６２が構成される。つまり、画像形成部５６には、感光体ドラム、クリーナユニットおよび帯電器等を備える４つのプロセスユニットが設けられている。プロセスユニット６２のそれぞれは、前カバー３６を開状態にすることで、装置本体１４の前面側から個別に着脱することが可能である。
【００５３】
感光体ドラムは、導電性を有する円筒状の基体の表面に感光層が形成された像担持体であり、帯電器は、この感光体ドラムの表面を所定の電位（たとえば、−６００Ｖ）に帯電させる部材である。また、露光ユニット５８は、レーザ出射部および反射ミラー等を備えたレーザスキャニングユニット(Laser scanning unit : LSU)として構成され、帯電された感光体ドラムの表面を露光することによって、形成画像データに応じた静電潜像を感光体ドラムの表面に形成する。現像器６０は、感光体ドラムの表面に形成された静電潜像を４色（ＹＭＣＫ）のトナーによって顕像化するものである。また、クリーナユニットは、現像および画像転写後における感光体ドラムの表面に残留したトナーをクリーニングブレードで除去し、除去したトナーを廃トナーボックス（図示せず）に搬送する。
【００５４】
中間転写ベルトユニット６４は、中間転写ベルト７０、駆動ローラ７２、従動ローラ７４および４つの中間転写ローラ７６等を備え、感光体ドラムの上方に配置される。中間転写ベルト７０は、各感光体ドラムに接触するように設けられており、中間転写ローラ７６を用いて、各感光体ドラムに形成された各色のトナー像を中間転写ベルト７０に順次重ねて転写することによって、中間転写ベルト７０上に多色のトナー像が形成される。また、駆動ローラ７２の近傍には、転写ローラ６６が配置されており、中間転写ベルト７０と転写ローラ６６との間のニップ域を用紙が通過することによって、中間転写ベルト７０に形成されたトナー像が用紙に転写される。
【００５５】
定着ユニット６８は、ヒートローラ７８および加圧ローラ８０を備え、転写ローラ６６の上方に配置される。ヒートローラ７８は、所定の定着温度となるように設定されており、ヒートローラ７８と加圧ローラ８０との間のニップ域を用紙が通過することによって、用紙に転写されたトナー像が溶融、混合および圧接されて、用紙に対してトナー像が熱定着される。
【００５６】
装置本体１４内には、第１カセット２２（第２カセット２４）または手差しカセット２６に載置された用紙を、転写ローラ６６および定着ユニット６８を経由させて排紙トレイ２８に送るための第１用紙搬送路Ｔ１が設けられる。また、用紙に対して両面印刷を行う際に、片面印刷が終了して定着ユニット６８を通過した後の用紙を、転写ローラ６６の用紙搬送方向の上流側において第１用紙搬送路Ｔ１に戻すための第２用紙搬送路Ｔ２が設けられる。なお、説明の都合上、第１用紙搬送路Ｔ１と第２用紙搬送路Ｔ２とを区別する必要がない場合には、第１用紙搬送路Ｔ１と第２用紙搬送路Ｔ２とをまとめて用紙搬送路Ｔと呼ぶこととする。そして、この第１用紙搬送路Ｔ１および第２用紙搬送路Ｔ２には、用紙の搬送を補助するための複数の搬送ローラ８２（８２ａ、８２ｂ、８２ｃ）が適宜設けられる。
【００５７】
装置本体１４において片面印刷を行う際には、第１カセット２２（第２カセット２４）または手差しカセット２６に載置された用紙がピックアップローラ８４によって１枚ずつ第１用紙搬送路Ｔ１に導かれ、搬送ローラ８２ａによってレジストローラ８６まで搬送される。そして、レジストローラ８６によって、用紙の先端と中間転写ベルト７０上の画像情報の先端とが整合するタイミングで転写ローラ６６に搬送され、用紙上にトナー像が転写される。その後、定着ユニット６８を通過することによって用紙上の未定着トナーが熱で溶融して固着され、排紙ローラ８８を経て排紙トレイ２８上に用紙が排出される。
【００５８】
一方、両面印刷を行う際には、片面印刷が終了して定着ユニット６８を通過した用紙の後端部が排紙トレイ２８近傍の排紙ローラ８８まで到達したとき、この排紙ローラ８８を逆回転させることによって、用紙が逆走して第２用紙搬送路Ｔ２に導かれる。第２用紙搬送路Ｔ２に導かれた用紙は、搬送ローラ８２ｂおよび８２ｃによって第２用紙搬送路Ｔ２を搬送されて、レジストローラ８６の用紙搬送方向の上流側において第１用紙搬送路Ｔ１に導かれる。この時点で用紙の表裏は反転されるので、その後、転写ローラ６６および定着ユニット６８を用紙が通過することによって、用紙の裏面に印刷が行われる。
【００５９】
また、第１ジャムセンサ９０は搬送ローラ８２ａとレジストローラ８６との間に設けられ、第２ジャムセンサ９２は転写ローラ６６と定着ユニット６８との間に設けられ、第３ジャムセンサ９４は排紙ローラ８８の用紙搬送方向の下流側に設けられる。第４ジャムセンサ９６は、搬送ローラ８２ｃの用紙搬送方向の下流側に設けられる。そして、第５ジャムセンサ９８はＡＤＦ３４の用紙搬送方向の上流に設けられる。第１実施例では、これらのジャムセンサ９０〜９８を利用して、紙詰まりが検出される。ただし、各ジャムセンサの配置位置および個数は一例であり、限定されるべきではない。
【００６０】
図３は画像形成装置１０の電気的な構成の一例を示すブロック図である。画像形成装置１０はプロセッサ１１０などを含む。このプロセッサ１１０には、バス１１２を介して、画像読取装置１２、操作ボタン２０、画像形成部５６、フラッシュメモリ１１４、ＲＡＭ１１６、第１ジャムセンサ９０、第１ジャムセンサ９２、第３ジャムセンサ９４、第４ジャムセンサ９６、第５ジャムセンサ９８、Ｄ／Ａ変換器１００、表示制御回路１１８、タッチパネル制御回路１２０、画像処理回路１２２、第１開閉センサ１２４、第２開閉センサ１２６、第３開閉センサ１２８、第４開閉センサ１３０、第５開閉センサ１３２、第６開閉センサ１３４および第７開閉センサ１３６などが接続される。
【００６１】
プロセッサ１１０は、画像形成装置１０の全体的な制御を司る。フラッシュメモリ１１４は、画像形成装置１０を動作させるためのプログラムを記憶したり、各種の画像データやその他の画像データを保存したりする。フラッシュメモリ１１４に保存された保存画像データは、プロセッサ１１０から与えられる指示の下、表示制御回路１１８のＶＲＡＭに書き込まれたり、画像形成部５６に入力されたりする。
【００６２】
ＲＡＭ１１６はさらに、プロセッサ１１０のワーキング領域ないしバッファ領域として用いられる。したがって、ＲＡＭ１１６には、フラッシュメモリ１１４に予め記憶されているプログラムの全部または一部が使用に際して展開され、プロセッサ１１０はこのＲＡＭ１１６上のプログラムに従って処理を実行する。
【００６３】
表示制御回路１１８には図１に示すディスプレイ１８が接続され、ディスプレイ１８は表示制御回路１１８から出力される画面データに従って各種の画面を表示する。たとえば、表示制御回路１１８は、ＧＰＵおよびＶＲＡＭなどを含んでおり、プロセッサ１１０の指示の下、ＲＡＭ１１６から読み出した画面データをＶＲＡＭに記憶（展開）する。そして、表示制御回路１１８は、ＶＲＡＭの内容に従って、ディスプレイ１８に画面を表示する。たとえば、印刷モード、コピーモード、スキャナモードおよびファクシミリモードの各モードに応じた画面が表示される。ディスプレイ１８としては、たとえばＬＣＤやＥＬ（Electro-Luminescence）ディスプレイなどを用いることができる。
【００６４】
タッチパネル制御回路１２０には、タッチパネル１６が接続される。タッチパネル制御回路１２０は、タッチパネル１６に必要な電圧などを付与するとともに、タッチパネル１６のタッチ有効範囲内でのタッチ操作を検出して、そのタッチ操作の位置を示す座標データをプロセッサ１１０に出力する。したがって、プロセッサ１１０はこの座標データに基づいて、タッチされたＧＵＩを判断する。
【００６５】
なお、タッチ操作は、タッチ、リリース、スライド、フリックなどの操作を意味する。また、タッチパネル１６は、汎用のタッチパネルであり、静電容量方式、電磁誘導方式、抵抗膜方式、赤外線方式など、任意の方式のものを用いることができる。この第１実施例では、静電容量方式のタッチパネル１６がディスプレイ１８の表示面上に設けられる。なお、タッチ操作はユーザの指だけに限らず、スタイラスペンなどによって行われてもよい。
【００６６】
操作ボタン２０は、ハードウェアのボタンないしキーで構成され、ユーザによるボタンないしキーの操作に応じて、操作されたボタンないしキーについての操作信号（操作データ）をプロセッサ１１０に入力する。
【００６７】
したがって、プロセッサ１１０は、タッチパネル１６および複数の操作ボタン２０への入力操作に応じて、画像形成装置１０の各部位に制御信号を送信し、画像形成装置１０に種々の動作を実行させる。
【００６８】
画像読取装置１２は、プロセッサ１１０から与えられる指示の下、原稿からの反射光をラインセンサで読み取って、読み取った画像データを出力する。こうして画像読取装置１２から出力される画像データは、一旦フラッシュメモリ１１４に保存される。
【００６９】
画像形成部５６は、この第１実施例では、汎用のレーザプリンタであり、感光体、帯電器、露光装置、現像装置、転写装置、定着装置などを備え、画像処理回路１２２で処理された画像データ（印刷用画像データ）に対応する画像を記録紙（用紙）などに印刷する。簡単に説明すると、レーザプリンタでは、帯電された感光体ドラムに静電潜像が形成され、この静電潜像にトナーが現像される。つまり、トナー像が形成される。そして、感光体ドラムに形成されたトナー像が転写ローラによって用紙に転写され、転写されたトナー像が溶融および圧接されることにより、用紙に定着される。したがって、画像データに対応する画像が紙面に印刷される。ただし、カラーで印刷する場合には、黒、マゼンタ、シアン、イエローの各色について設けられた感光体ドラムに、各色についての静電潜像が形成され、各色のトナー像が形成され、各色のトナー像が中間転写ローラに一次転写され、その後、用紙に転写（二次転写）される。
【００７０】
画像処理回路１２２は、表示制御回路１１８のＶＲＡＭを使用して、フラッシュメモリ１１４から読み出した画像データに対してＲＩＰ(Raster image processing)処理を施したり、外部へ送信する際にそのデータの形式を変換する変換処理を施したりする。ただし、ＲＩＰ処理とは、外部のコンピュータから送信されたプリンタ言語で表現された印刷データをビットマップデータのような画像データ（印刷用画像データ）に変換する処理である。
【００７１】
第１ジャムセンサ９０〜第５ジャムセンサ９８は、たとえば、反射型の光学センサであり、用紙の有無を検知する。この光学センサは、用紙を検出していない場合にオフとなり、用紙を検出するとオンとなる。プロセッサ１１０（第１検出手段）は、印刷中において第１所定時間以内にジャムセンサ（９０、９２、９４、９６または９８）がオンにならない場合には、用紙搬送方向において当該ジャムセンサ（９０、９２、９４、９６または９８）の上流側で紙詰まりが発生していると判断する。また、プロセッサ１１０（第１検出手段）は、ジャムセンサ（９０、９２、９４、９６または９８）がオンである状態が第２所定時間を超える場合には、当該ジャムセンサ（９０、９２、９４、９６または９８）が配置された位置で紙詰まりが発生していると判断する。
【００７２】
なお、ジャムセンサ（９０、９２、９４、９６または９８）が配置される位置は予め決定されているため、ジャムセンサ（９０、９２、９４、９６または９８）に基づいて判断される紙詰まりの各位置は予め知ることができ、紙詰まりの各位置はフラッシュメモリ１１４に記憶されている。このため、プロセッサ１１０は、第１ジャムセンサ９０〜第５ジャムセンサ９８の出力に基づいて紙詰まりが発生したことを判断すると、その紙詰まりの位置を特定することができる。
【００７３】
また、他の実施例では、第１ジャムセンサ９０〜第５ジャムセンサ９８としては、フィラー型センサやリミットスイッチなどを用いることができるし、センサを設ける位置に応じて、それらを使い分けても良いし、それらと光学センサの両方を用いて紙詰まりを検知してもよい。また、この第１実施例では、ジャムセンサ（９０〜９８）として反射型の光学センサを用いるようにしてあるが、透過型の光学センサを用いてもよい。
【００７４】
さらに、第１所定時間および第２所定時間は、それぞれ、用紙のサイズ（搬送方向における長さ）に応じて異なる値が設定され、予めフラッシュメモリ１１４に記憶されている。
【００７５】
図３に戻って、Ｄ／Ａ変換器１００には、スピーカ１０２が接続され、プロセッサ１１０の指示に従って、所定の音や音声についての音声データがアナログの音声信号に変換され、スピーカ１０２から出力される。
【００７６】
さらに、第１開閉センサ１２４〜第７開閉センサ１３６は、上述した開閉部の開閉状態を検出するためのセンサである。たとえば、これらの開閉センサとしては、ＡＭＲ(Anisotropic Magneto Resistance)センサを利用する磁気スイッチが用いられる。ただし、光学センサを用いるようにしてもよい。プロセッサ１１０（第２検出手段）は、開閉センサ（１２４、１２６、１２８、１３０、１３２、１３４または１３６）がオフの場合には、対応する開閉部が開いていることを検知する。また、プロセッサ１１０（第２検出手段）は、開閉センサ（１２４、１２６、１２８、１３０、１３２、１３４または１３６）がオンの場合には、対応する開閉部が閉じていることを検知する。いずれかの開閉部が開いている場合には、印刷等の指示が入力されたとしても、プロセッサ１１０は、その指示に応じた動作を実行しない。
【００７７】
このような画像形成装置１０では、紙詰まりを検知すると、紙詰まりの位置を示す情報（紙詰まり情報）やその解除方法を説明するガイダンス情報がディスプレイ１８に表示される。したがって、ユーザは紙詰まり情報やガイダンス情報を参照して、紙詰まりが発生している位置を確認したり、紙詰まりを解消する方法を参照したりして、開閉部を開けて詰まった用紙を除去する。
【００７８】
ユーザが詰まった用紙を除去して、すべての開閉部を閉じると、画像形成装置１０は、転写ローラ６６、ヒートローラ７８、加圧ローラ８０、搬送ローラ８２、ピックアップローラ８４およびレジストローラ８６を駆動し、ジャムセンサ（９０〜９８）の出力に基づいて、詰まった用紙が除去されたかどうかを判断（確認）する。つまり、紙詰まりを解消したかどうかが確認される。以下、このような確認動作を、正常な状態へ復帰するための「復帰動作」と称することがある。
【００７９】
復帰動作が実行され、紙詰まりが解消されると、紙詰まり情報やガイダンス情報は消去され、正常な動作を実行できる状態となり、各モードに応じた操作画面が表示される。一方、紙詰まりが解消されていない場合には、正常な動作を実行することができないため、紙詰まり情報やガイダンス情報が表示（更新）される。
【００８０】
このように、画像形成装置１０では、詰まった用紙を取り除いた後では、すべての開閉部を閉じなければ、復帰動作が実行されない。また、復帰動作が実行されないと、紙詰まり情報やガイダンス情報は消去されたり、更新されたりしない。
【００８１】
このため、復帰動作が実行されない場合には、ユーザは、詰まった用紙を除去できていないのか、閉じていない開閉部があるのかを知ることができず、混乱してしまう可能性がある。特に、開閉部が正常に閉じられていないことを、ユーザが気づかない可能性がある。
【００８２】
このような不都合を回避するため、この第１実施例では、紙詰まりが発生した場合に、開閉部の開閉状態を検出し、紙詰まり情報のみならず、開閉部の開閉状態もユーザに通知するようにしてある。
【００８３】
具体的には、後述する通知画面２００がディスプレイ１８に表示される。このため、画像形成装置１０では、紙詰まりの有無および位置を示すテーブル（紙詰まりテーブル）および開閉部の開閉状態を示すテーブル（開閉状態テーブル）が生成され、これらのテーブルに基づいて、通知画面２００が表示される。
【００８４】
図４は紙詰まりテーブルの一例を示す。この紙詰まりテーブルでは、予め特定された紙詰まりの各位置に対応して紙詰まりの有無が記述される。たとえば、紙詰まりの位置として、第１位置、第２位置、第３位置、第４位置、…が記述される。たとえば、第１位置は、第１カセット２２または第２カセット２４（図２では省略）から搬送ローラ８２ａまでの間の位置である。また、第２位置は、搬送ローラ８２ａから転写ローラ６６までの間の位置である。さらに、第３位置は、転写ローラ６６から定着ユニット６８までの間の位置である。さらにまた、第４位置は、定着ユニット６８から排出ローラ８８までの間の位置である。また、第５位置は、排出ローラ８８から搬送ローラ８２ｃまでの間の位置である。さらに、第６位置は、搬送ローラ８２ｃから第１搬送路Ｔ１と第２搬送路Ｔ２が合流するまでの間の位置である。そして、第７位置は、ＡＤＦ３４の用紙搬送路の全体における位置である。
【００８５】
上記のように、ジャムセンサ９０〜９８を用いて紙詰まりの有無が判断されるが、ジャムセンサ９０〜９８によって用紙を検出している時間が第２所定時間を超える場合には、第１位置と第２位置、第２位置と第３位置、第３位置と第４位置、第４位置と第５位置、第５位置と第６位置のように、隣接する２つの位置に詰まった用紙が跨っていると考えられる。このため、かかる場合には、隣接する２つの位置で紙詰まりが発生していると判断される。
【００８６】
図４に示す紙詰まりテーブルによれば、第１カセット２２または第２カセット２４から搬送ローラ８２ａまでの第１位置で紙詰まりが発生していることが分かる。また、転写ローラ６６から定着ユニット６８までの間の第３位置と、定着ユニット６８から排出ローラ８８までの間の第４位置で紙詰まりが発生していることが分かる。つまり、定着ユニット６８の位置で紙詰まりが発生していることが分かる。
【００８７】
また、図５は開閉状態テーブルの一例を示す。この開閉状態テーブルでは、開閉センサに対応して、開閉部および状態が記述される。開閉センサは、上述した第１開閉センサ１２４〜第７開閉センサ１３６のそれぞれであり、開閉センサの欄には、これらを識別するための情報が記述される。開閉部の欄には、各開閉センサが開閉を検出する開閉部を識別するための情報が記述される。そして、状態の欄には、各開閉センサ（開閉部）の状態（開閉状態）が記述される。たとえば、開閉センサの状態がオフであれば、対応する開閉部が開いている状態を示す。また、開閉センサの状態がオンであれば、対応する開閉部が閉じている状態を示す。
【００８８】
この図５に示す開閉状態テーブルによれば、第１カセット２２および第３横開閉部４２が開いた状態であることが分かる。
【００８９】
図６は通知画面２００の一例を示す。ただし、図６に示す通知画面２００は、紙詰まりが発生した当初においてディスプレイ１８に表示される通知画面である。また、上述したように、紙詰まりが発生したかどうかを判断することにより、図４に示したような紙詰まりテーブルが生成（更新）され、この紙詰まりテーブルに従って通知画面２００がディスプレイ１８に表示される。この紙詰まりテーブルに基づいて、通知画面２００に紙詰まり情報が表示される。以下、通知画面２００を表示（更新）する場合について同様である。
【００９０】
上述したように、この図６に示す通知画面２００では、紙詰まり情報が通知されるが、開閉部の開閉情報（開閉状態）は通知されていない。これは、紙詰まりが発生した直後においては、詰まった用紙を除去する作業を開始していないため、開閉部が開かれていなかったり、また、詰まった用紙を除去する作業を行っている最中であったりするためである。つまり、開閉部を閉め忘れているとは考えにくいためである。
【００９１】
たとえば、この第１実施例では、紙詰まりが発生し、最初に開閉部が開かれてから第３所定時間（たとえば、１０秒）を経過すると、通知画面２００に開閉部の開閉情報を表示するようにしてある。
【００９２】
図６に示すように、通知画面２００は、第１画像２０２および第２画像２０４を含む。第１画像２０２は、画像形成装置１０を前面から見た場合のイラストであり、第１カセット２２、第２カセット２４、前カバー３６およびＡＤＦカバー４４の画像と、用紙搬送路Ｔ１、Ｔ２の画像を含む。
【００９３】
第２画像２０４は、画像形成装置１０を一方側面から見た場合のイラストであり、手差しカセット２６、第１横開閉部３８、第２横開閉部４０および第３横開閉部４２の画像を含む。
【００９４】
なお、通知画面２００では、第１画像２０２の上方には、紙詰まりが発生していることのメッセージが表示される。以下、同様である。
【００９５】
上述したように、紙詰まりが発生してから第３所定時間を経過すると、開閉部の開閉情報も通知されるため、図７（Ａ）に示すような通知画面２００が表示される。ただし、上述したように、開閉部の状態に応じて図５に示したような開閉状態テーブルが生成（更新）される。この開閉状態テーブルに基づいて、通知画面２００に開閉部の開閉情報が表示される。以下、通知画面２００を表示（更新）する場合について同様である。
【００９６】
図７（Ａ）に示すように、通知画面２００には、第１画像２０２上（前面）であり、紙詰まりが発生した位置（ここでは、第１位置、第３位置および第４位置）に、紙詰まりが発生していることを示すマーク画像（逆三角形の画像）２０８および２１０が表示される。
【００９７】
また、図７（Ａ）に示すように、通知画面２００では、すべての開閉部は閉じた状態（閉状態）であり、閉状態であることを示すように、すべての開閉部の画像に所定の色（たとえば、緑色）が付される。ただし、図面においては、開閉部の画像に縦縞模様を付すことにより、緑色が付されていることを表現してある。
【００９８】
図７（Ｂ）は、ユーザが第３位置および第４位置（定着ユニット６８の位置）に詰まった用紙を取り除くために、第１横開閉部３８を開いた場合にディスプレイ１８に表示される通知画面２００の一例を示す。図７（Ｂ）に示す通知画面２００では、第１横開閉部３８が開状態であることを示すように、第２画像２０４において、第１横開閉部３８に相当する画像に、閉状態とは異なる所定の色（たとえば、赤色）が付される。ただし、図面においては、第１横開閉部３８の画像に斑点模様を付すことにより、赤色が付されていることを表現してある。
【００９９】
他の内容については、図７（Ａ）に示した通知画面２００と同じであるため、重複した説明は省略する。
【０１００】
図７（Ｃ）は、ユーザが第３位置に詰まった用紙を取り除き、第１横開閉部３８を閉じた場合にディスプレイ１８に表示される通知画面２００の一例を示す。図７（Ｃ）に示す通知画面２００では、第１位置に用紙が詰まっていることを示すマーク画像２０８が第１画像２０２上に表示される。つまり、第３位置および第４位置に用紙が詰まっていることを示すマーク画像２１０が第１画像２０２上から消去された以外は、図７（Ａ）に示した通知画面２００と同じであるため、重複した説明は省略する。
【０１０１】
このように、第１実施例では、紙詰まりが発生した場合には、復帰動作が行わるか否かに拘わらず、開閉部の開閉状態に応じて、開閉部の画像の色を変化させることにより、開閉部の開閉状態をユーザに通知するようにしてある。
【０１０２】
なお、第１実施例では、紙詰まりが発生した場合に、開閉部の開状態および閉状態の両方を通知するようにしたが、少なくとも開状態を通知すれば、ユーザは閉じていない開閉部を知ることができ、適切に紙詰まりを解消するための作業を行うことができる。
【０１０３】
また、第１実施例では、紙詰まりが発生した場合に、開閉部が開いている場合には、開いていることを示す開情報を通知するようにしてあるが、この通知に代えて、または、この通知とともに、開いている開閉部を閉じるべきことを示す情報を通知するようにしてもよい。たとえば、メッセージを表示する領域を通知画面２００に設けて、開いている開閉部を閉じるべきことを示すメッセージを表示するようにすればよい。
【０１０４】
図８は図３に示したＲＡＭ１１６のメモリマップ３００の一例を示す。図８に示すように、ＲＡＭ１１６には、プログラム記憶領域３０２およびデータ記憶領域３０４が設けられる。プログラム記憶領域３０２は、フラッシュメモリ１１４（図３）に予め記憶されるプログラムデータの一部または全部を読み出して記憶（展開）するための領域である。
【０１０５】
プログラム記憶領域３０２には、情報通知プログラム３１０、紙詰まり検出プログラム３１２および開閉状態検出プログラム３１４が記憶される。情報通知プログラム３１０は、紙詰まり情報および開閉情報を通知するためのプログラムである。紙詰まり検出プログラム３１２は、第１ジャムセンサ９０−第５ジャムセンサ９８の出力に基づいて紙詰まりの有無を検出するためのプログラムである。開閉状態検出プログラム３１４は、第１開閉センサ１２４−第７開閉センサ１３６の出力に基づいて各開閉部の開閉状態を検出するためのプログラムである。
【０１０６】
なお、図示は省略するが、プログラム記憶領域３０２には、画像の読取機能、プリント機能およびファクシミリ機能を実現するための各プログラムなども記憶される。
【０１０７】
また、ＲＡＭ１１６のデータ記憶領域３０４には、紙詰まりデータ３３０、開閉状態データ３３２および画面データ３３４が記憶されるとともに、開タイマ３３６が設けられる。
【０１０８】
紙詰まりデータ３３０は、たとえば図４に示した紙詰まりテーブルについてのデータである。この紙詰まりデータ３３０は、上述した紙詰まり検出プログラム３１２によって生成（更新）される。開閉状態データ３３２は、たとえば図５に示した開閉状態テーブルについてのデータである。この開閉状態データ３３２は、上述した開閉状態検出プログラム３１４によって生成（更新）される。
【０１０９】
画面データ３３４は、ディスプレイ１８に通知画面２００や操作画面を表示するためのデータであり、これららの画面に表示される文字、メッセージおよびマーク画像についてのデータなども含む。
【０１１０】
開タイマ３３６は、紙詰まりが発生し、最初に開閉部の開状態が検出されてからの時間を計測するためのタイマである。
【０１１１】
なお、図示は省略するが、データ記憶領域３０４には、音データなどの他のデータが記憶されたり、プログラムの実行に必要な、フラグやタイマ（カウンタ）が設けられたりする。また、図示は省略するが、データ記憶領域３０４には、印刷等するための画像データが展開されるＶＲＡＭとして用いられる領域も含まれる。
【０１１２】
図９および図１０は、図３に示すプロセッサ１１０の情報通知処理のフロー図である。ただし、紙詰まりを検知する処理および開閉部の開閉を検知する処理は、情報通知処理とは別に並行して実行される。紙詰まりを検知する処理および開閉部の開閉を検知する処理についてはすでに周知であり、本願発明の本質的な内容ではないため、図示および説明を省略してある。また、紙詰まりを検知する処理に応じて図４に示した紙詰まりテーブルは更新され、同様に、開閉部の開閉を検知する処理に応じて図５に示した開閉状態テーブルは更新される。
【０１１３】
たとえば、紙詰まりが発生し、これが検知されると、図９に示すように、プロセッサ１１０は情報通知処理を開始し、ステップＳ１で、図６に示したような開閉部の開閉情報を含まない通知画面２００をディスプレイ１８に表示する。ここでは、プロセッサ１１０の指示の下、表示制御回路１１８が画面データ３３４を読み出して、通知画面２００についてのデータを生成し、ディスプレイ１８に表示する。以下、画面を表示する場合について同じ。図示は省略するが、このとき、紙詰まりが発生したことを通知する音がスピーカ１０２から出力される。このとき、プロセッサ１１０は、ＲＡＭ１１６から音データを読み出し、Ｄ／Ａ変換器１００に出力する。
【０１１４】
次のステップＳ３では、開閉状態テーブルを参照して、開状態の開閉部が有るかどうかを判断する。ステップＳ３で“ＮＯ”であれば、つまり開状態の開閉部が無ければ、詰まった用紙を除去する作業が開始されていないと判断して、同じステップＳ３に戻る。一方、ステップＳ３で“ＹＥＳ”であれば、つまり開状態の開閉部が有れば、詰まった用紙を除去する作業が開始されたと判断して、ステップＳ５で、開タイマ３３６をリセットおよびスタートする。
【０１１５】
続いて、ステップＳ７では、開タイマ３３６のカウント値が第１所定値（たとえば、１０秒）よりも大きいかどうかを判断する。つまり、詰まった用紙を除去する作業が開始されてから所定時間が経過したかが判断される。ステップＳ７で“ＮＯ”であれば、つまり開タイマ３３６のカウント値が第１所定値以下であれば、そのまま同じステップＳ７に戻る。一方、ステップＳ７で“ＹＥＳ”であれば、つまり開タイマ３３６のカウント値が第１所定値よりも大きければ、ステップＳ９で、開閉情報を通知する。具体的には、第１実施例では、プロセッサ１１０の指示の下、表示制御回路１１８は、ＶＲＡＭ上で、通知画面２００の第１画像２０２および第２画像２０４において、閉じている開閉部に対応する画像に緑色を付し、開いている開閉部に対応する画像に赤色を付す。
【０１１６】
図１０に示すように、次のステップＳ１１では、すべての開閉部が閉じられたかどうかを判断する。プロセッサ１１０は、開閉状態テーブルにおいて、すべての開閉部が閉状態になったかどうかを判断することにより、復帰動作を実行するかどうかを判断する。ステップＳ１１で“ＮＯ”であれば、つまり開状態の開閉部が有れば、ステップＳ１３で、開閉情報を更新して、ステップＳ１１に戻る。ステップＳ１３では、開閉状態テーブルに従って、第１画像２０２および第２画像２０４に含まれる開閉部の画像の色を変化させる。ただし、開閉状態テーブルが更新されていない場合には、ステップＳ１３の処理は実行しなくてよい。
【０１１７】
一方、ステップＳ１１で“ＹＥＳ”であれば、つまりすべての開閉部が閉状態であれば、ステップＳ１５で復帰動作を開始し、ステップＳ１７で、紙詰まりテーブルが更新されたかどうかを判断する。なお、復帰動作の処理は情報通知処理とは別に実行される。また、復帰動作の処理と並行して、紙詰まりを検知する処理も実行される。これによって、紙詰まりテーブルが更新される。また、この第１実施例では、復帰動作が実行されると、紙詰まりが解消されているかどうかに拘わらず、紙詰まりを検知する処理の実行に応じて、紙詰まりテーブルは更新される。
【０１１８】
ステップＳ１７で“ＮＯ”であれば、つまり紙詰まりテーブルが更新されていなければ、そのまま同じステップＳ１７に戻る。一方、ステップＳ１７で“ＹＥＳ”であれば、つまり紙詰まりテーブルが更新されれば、ステップＳ１９で、紙詰まりが解消されたかどうかを判断する。ここでは、プロセッサ１１０は、紙詰まりテーブルを参照して、紙詰まりの有無を検出する。
【０１１９】
ステップＳ１９で“ＹＥＳ”であれば、つまり紙詰まりが解消されれば、ステップＳ２１で、通知画面を消去して、情報通知処理を終了する。一方、ステップＳ１９で“ＮＯ”であれば、つまり紙詰まりが解消されていなければ、ステップＳ２３で、通知画面２００を更新して、ステップＳ３に戻り、再び開状態の開閉部があるかどうかを判断する。ステップＳ３で“ＮＯ”であれば、用紙を除去する作業が開始されていないと判断して、そのまま同じステップＳ３に戻る。一方、ステップＳ３で“ＹＥＳ”であれば、用紙を除去する作業が開始されたと判断して、ステップＳ５で再び開タイマ３３６をリセットおよびスタートする。以降の処理は前述と同じであるため、詳細な説明は省略する。
【０１２０】
第１実施例によれば、紙詰まりが発生した場合には、紙詰まり情報のみならず、開閉部の開閉情報を通知するので、ユーザは紙詰まりが解消されていないことまたは開閉部が閉じられていないことを知ることができる。したがって、適切な作業により、紙詰まりを解消することができる。
【０１２１】
[第２実施例]
第２実施例の画像形成装置１０は、通知画面２００において開閉部の開閉情報を通知する方法が異なる以外は第１実施例と同じであるため、重複した説明は省略する。
【０１２２】
この第２実施例では、図１１に示す通知画面２００において、第１実施例に示した通知画面２００の第２画像２０４に代えて、開閉状態をテキスト文字で表示するための表示領域２２０が第１画像２０２の横に表示される。表示領域２２０では、開閉部の名称に対応してその開閉状態が記述される。
【０１２３】
ただし、各開閉部の名称はユーザに分かりにくい可能性があるため、別の通知方法を採用してもよい。たとえば、第１実施例で示したように、通知画面２００において、第１画像２０２および第２画像２０４を表示するとともに表示領域２２０を設け、各開閉部の画像に番号ないし記号を付し、当該番号に対応して開閉状態をテキスト文字で表示領域２２０に表示するようにしてもよい。
【０１２４】
第２実施例によれば、ユーザは、一覧で表示された各開閉部の開閉状態を見ることにより、各開閉部の開閉状態を把握することができる。したがって、第１実施例と同様に、ユーザは紙詰まりが解消されていないことまたは開閉部が閉じられていないことを知ることができる。
【０１２５】
なお、第１実施例に示した通知画面２００においてさらに表示領域２２０を設け、開閉部の開閉状態を対応する画像の色で表現するとともに、表示領域２２０に開閉部の開閉状態をテキスト文字で表示するようにしてもよい。
【０１２６】
[第３実施例]
第３実施例の画像形成装置１０は、通知画面２００において開閉部の開閉情報を通知する方法が異なる以外は第１実施例と同じであるため、重複した説明は省略する。
【０１２７】
図１２に示すように、第３実施例では、第１実施例で示した通知画面２００において、第２画像２０４の横に空白の表示領域２３０が設けられる。そして、開閉部が開いていることを示す情報が、その表示領域２３０を用いて、対応する開閉部の画像から吹き出しで表示するようにしてある。
【０１２８】
かかる場合には、開閉部が開いていることを吹き出しで表示することにより、何も表示されていない開閉部が閉じていることを知ることができるが、開閉部が閉じていることも吹き出しで表示するようにしてもよい。
【０１２９】
第３実施例によれば、吹き出しで開閉部の開状態が通知されるため、ユーザは開閉部の位置と開閉部の開閉状態を直感的に把握することができる。したがって、第１実施例と同様に、ユーザは紙詰まりが解消されていないことまたは開閉部が閉じられていないことを知ることができる。
【０１３０】
なお、第１実施例に示した通知画面２００においてさらに表示領域２３０を設け、開閉部の開閉状態を対応する画像の色で表現するとともに、表示領域２３０を用いて、開閉部の開閉状態を吹き出し表示するようにしてもよい。
【０１３１】
また、第１実施例〜第３実施例では、各開閉部の開閉状態を画像やテキスト文字を用いて表示することにより、ユーザにその開閉状態を通知するようにしたが、これに限定される必要はない。たとえば、音声によって開閉部の開閉状態を通知することもできる。かかる場合には、各開閉部について開いていることを通知するためのメッセージの合成音声データをそれぞれ記憶しておき、通知画面に開閉状態を表示（更新）することに代えて、開いている開閉部に対応して記憶された合成音声データをＤ／Ａ変換器１００に出力するようにすればよい。ただし、音声および表示の両方で開閉状態を通知するようにしてもよい。
【０１３２】
さらに、第１〜第３実施例では、説明を省略したが、フィニッシャーおよび大容量トレイなどのオプション機器が画像形成装置１０に装着されてもよい。この場合、通知画面２００の第１画像２０２および第２画像２０４はオプション機器が装着された状態のものに変更される。また、オプション機器が備える開閉部の開閉センサおよびジャムセンサはプロセッサ１１０に接続される。そのため、プロセッサ１１０は、オプション機器で発生した紙詰まりおよびオプションの開閉部の開閉状態についても通知することができる。
【０１３３】
さらにまた、第１〜第３実施例では、ドアが開閉したり、カバーが開閉したり、カセットが加開閉したりする開閉部について説明したが、これに限定される必要はない。たとえば、カセットは、画像形成装置１０に差し込んだり（閉状態）、抜いたり（開状態）するものであってもよい。
【０１３４】
また、第１〜第３実施例で示したプログラムは、ネットワークを介して通信可能に接続されるサーバから画像形成装置１０に配信されてもよい。また、ＣＤ、ＤＶＤまたはＢＤ（Blue-Ray Disk）などの光学ディスク、ＵＳＢメモリおよびメモリカードなどの記憶媒体に上述のプログラムを記憶してもよい。かかる場合には、このような記憶媒体を画像形成装置１０に装着して直接的にプログラムを書き込むことができる。また、画像形成装置１０は、このような記憶媒体を装着したコンピュータと通信することより、当該コンピュータから間接的にプログラムを書き込むこともできる。
【０１３５】
そして、本明細書中で挙げた、具体的な数値は、いずれも単なる一例であり、製品の仕様変更などに応じて適宜変更可能である。
【符号の説明】
【０１３６】
１０  …  画像形成装置
１２  …  画像読取装置
１８  …  ディスプレイ
２２  …  第１カセット
２４  …  第２カセット
３６  …  前カバー
３８  …  第１横開閉部
４０  …  第２横開閉部
４２  …  第３横開閉部
４４  …  ＡＤＦカバー
９０  …  第１ジャムセンサ
９２  …  第２ジャムセンサ
９４  …  第３ジャムセンサ
９６  …  第４ジャムセンサ
９８  …  第５ジャムセンサ
１１０  …  プロセッサ
１１４  …  フラッシュメモリ
１１６  …  ＲＡＭ
１２４  …  第１開閉センサ
１２６  …  第２開閉センサ
１２８  …  第３開閉センサ
１３０  …  第４開閉センサ
１３２  …  第５開閉センサ
１３４  …  第６開閉センサ
１３６  …  第７開閉センサ
２００  …  通知画面
２０２  …  第１画像
２０４  …  第２画像
２０８，２１０  …  マーク画像
２２０,２３０  …  表示領域
【図１】
2015205435.tif 000003
【図２】
2015205435.tif 000004
【図３】
2015205435.tif 000005
【図４】
2015205435.tif 000006
【図５】
2015205435.tif 000007
【図６】
2015205435.tif 000008
【図７】
2015205435.tif 000009
【図８】
2015205435.tif 000010
【図９】
2015205435.tif 000011
【図１０】
2015205435.tif 000012
【図１１】
2015205435.tif 000013
【図１２】
2015205435.tif 000014